(57)【要約】【課題】出力動作のカスタマイズを容易に行わせることが可能な受動型出力装置を提供する。【解決手段】出力対象となる個別の基本データを記憶する第２のメモリ１３又は第１のメモリ１１と、外部入力により選択された少なくとも一つの基本データから出力データを生成するＣＰＵ９とを備えている。従って、第２のメモリ１３又は第１のメモリ１１内の基本データを適宜選択して出力データを生成することができ、それによって新たな出力動作を追加したり或いは既存の出力動作を変更して、出力動作のカスタマイズを容易に行わせることができる【選択図】図２
2013246742.tif 000002
【特許請求の範囲】
【請求項１】
出力データに基づいて予め設定された出力態様及びタイミングの出力条件に応じた所定の出力動作を行う受動型出力装置であって、
出力対象となる個別の基本データを記憶する記憶部と、
外部入力に応じて選択された少なくとも一つの基本データから出力データを生成する制御部と、
を備えたことを特徴とする受動型出力装置。
【請求項２】
請求項１記載の受動型出力装置であって、
前記制御部は、前記記憶された複数の基本データから選択された基本データを組み合わせて一つの出力データを生成する、
ことを特徴とする受動型出力装置。
【請求項３】
請求項１又は２記載の受動型出力装置であって、
前記外部入力は、新たな基本データ及び少なくとも該基本データの選択情報を含み、
前記制御部は、前記新たな基本データを記憶部に記憶すると共に少なくとも該新たな基本データから出力データを生成する、
ことを特徴とする受動型出力装置。
【請求項４】
請求項１〜３の何れか一項に記載の受動型出力装置であって、
前記制御部は、前記基本データの選択情報と共に出力用の条件を指定する指定情報の外部入力を受け付ける入力部と、
前記選択情報に基づき選択された基本データを一つの出力基本データとして生成する出力データ生成部と、
前記指定情報に基づき前記出力基本データの出力条件を示す条件データを生成する条件データ生成部とを備え、
前記出力データは、前記出力基本データと前記条件データとで構成される、
ことを特徴とする受動型出力装置。
【請求項５】
請求項４記載の受動型出力装置であって、
前記記憶部は、前記受け付けられた選択情報及び指定情報を記憶する受信領域と、前記出力基本データ及び条件データを記憶する展開領域とを備え、
前記制御部は、前記受信領域から前記選択情報及び指定情報を掃き出して展開し、前記出力基本データ及び条件データを生成して前記展開領域に記憶する、
ことを特徴とする受動型出力装置。
【請求項６】
請求項１〜５の何れか一項に記載の受動型出力装置であって、
前記指定情報は、少なくとも前記出力基本データに対する変化量を指定する、
ことを特徴とする受動型出力装置。
【請求項７】
請求項１〜６の何れか一項に記載の受動型出力装置を有する出力データ生成システムであって、
前記外部入力を送信する送信側装置を備え、
前記受動型出力装置は、前記送信側装置からの前記外部入力を受信する受信側装置である、
ことを特徴とする出力データ生成システム。
【請求項８】
請求項７記載の出力データ生成システムであって、
前記受信側装置を複数備えた、
ことを特徴とする出力データ生成システム。
【請求項９】
請求項８記載の出力データ生成システムであって、
前記複数の受信側装置は、前記送信側装置からの同一の外部入力を受信して前記出力データの生成を行う、
ことを特徴とする出力データ生成システム。
【請求項１０】
請求項９記載の出力データ生成システムであって、
前記複数の受信側装置は、前記同一の外部入力から異なる出力データの生成を行う、
ことを特徴とする出力データ生成システム。
【発明の詳細な説明】
【技術分野】
【０００１】
本発明は、音声、音、画像等を出力データに基づいて予め設定された出力態様及びタイミングで出力する受動型出力装置及び出力データ生成システムに関する。
【背景技術】
【０００２】
従来の受動型出力装置としては、例えば特許文献１のような歓声検出盛り上げ装置がある。この装置では、テレビ内の映像の音声状況に応じて、所定の出力動作としてマスコット人形等に旗を振るような動作を行わせる。
【０００３】
このような装置では、予め出力動作のための駆動制御情報等を出力データとして記憶部内に記憶しておき、入力されたコマンドに応じて出力データに基づく動作を行わせるのが一般的である。このため、決められた出力態様及びタイミングで出力動作を確実に行わせることができる。
【０００４】
ところで、ユーザーによっては、出力動作を後から変更し或いは追加するようなカスタマイズを望むことも少なくない。
【０００５】
しかし、従来の装置では、そのようなカスタマイズを可能とする拡張性を持たせていないことが多い。この点、出力データを新たに生成し直して記憶部内に追加すれば、出力動作のカスタマイズも可能ではあるものの手間がかかるという問題があった。
【先行技術文献】
【特許文献】
【０００６】
【特許文献１】特開２００６−１８２３５２号公報
【発明の概要】
【発明が解決しようとする課題】
【０００７】
本発明が解決しようとする問題点は、出力動作のカスタマイズに手間がかかる点である。
【課題を解決するための手段】
【０００８】
本発明は、出力動作のカスタマイズを容易に行わせるため、出力データに基づいて予め設定された出力態様及びタイミングの出力条件に応じた所定の出力動作を行う受動型出力装置であって、出力対象となる個別の基本データを記憶する記憶部と、外部入力に応じて選択された少なくとも一つの基本データから出力データを生成する制御部とを備えたことを最も主な特徴とする。
【発明の効果】
【０００９】
本発明によれば、記憶部内の基本データを適宜選択して出力データを生成することができ、それによって出力動作のカスタマイズ容易に行わせることができる。
【図面の簡単な説明】
【００１０】
【図１】一実施形態の出力データ生成システムを示す概念図である。
【図２】図１の出力データ生成システムの受信側装置を示すブロック図である。
【図３】図２の受信側装置の出力データ生成処理を示すフローチャートである。
【図４】他の実施形態の出力データ生成システムを示す概念図である。
【図５】出力データ生成システムを示す概念図である（実施例１）。
【図６】図５の出力データ生成システムの受信側装置を示すブロック図である（実施例１）。
【図７】出力データ生成システムを示す概念図である（実施例２）。
【図８】図７の出力データ生成システムの受信側装置を示すブロック図である（実施例２）。
【図９】出力データ生成システムを示す概念図である（実施例３）。
【図１０】図９の出力データ生成システムの受信側装置を示すブロック図である（実施例３）。
【図１１】出力データ生成システムを示す概念図である（実施例４）。
【図１２】図１１の出力データ生成システムの受信側装置を示すブロック図である（実施例４）。
【図１３】出力データ生成システムを示す概念図である（実施例５）。
【図１４】図１３の出力データ生成システムの受信側装置を示すブロック図である（実施例５）。
【発明を実施するための形態】
【００１１】
出力動作のカスタマイズを容易に行わせるという目的を、出力対象となる個別の基本データを記憶しておき、選択された少なくとも一つの基本データから出力データを生成することで実現した。
【００１２】
好ましくは、基本データの選択情報と共に出力用の条件を指定する指定情報の外部入力を受け付ける入力部と、選択情報に基づき選択された基本データを一つの出力基本データとして生成する出力データ生成部と、指定情報に基づき前記出力基本データの出力条件を示す条件データを生成する条件データ生成部とを出力データ生成のための機能として備える。この場合、出力データが出力基本データ及び条件データで構成される。
【００１３】
まず、本発明の出力データ生成システムの基本構成及び動作の実施形態について説明する。
［出力データ生成システムの概略構成］
図１は、本発明に係る一実施形態の出力データ生成システムを示す概念図である。
【００１４】
図１のように、出力データ生成システム１は、送信側装置３と受動型出力装置としての受信側装置５とを備えている。送信側装置３及び受信側装置５は、情報処理端末からなり、送信側装置３から送信されたデータを受信側装置５で受信可能となっている。
【００１５】
データ送信方式は、特に限定されるものではないが、例えばUSBやRS232等の有線によるものやWIFI，Bluetooth(登録商標)(登録商標)，赤外線，或いは音(音波)等の無線によるものとすることができる。
【００１６】
受信側装置５は、保持する出力データに基づいて音声、音楽、画像、光、制御信号等を所定の出力態様及びタイミングの出力条件に応じて出力でき、その出力データを送信側装置３でのデータ入力に応じた送信データに基づいて生成可能となっている。
【００１７】
図２は、出力データ生成システムの受信側装置を示すブロック図である。
【００１８】
受信側装置５は、通信回路７と、制御部としてのＣＰＵ９と、記憶部としての第１のメモリ１１及び第２のメモリ１３と、出力部１５とを備えている。
【００１９】
通信回路７は、外部から送信されたデータを受信してＣＰＵ９に渡すインターフェースである。ＣＰＵ９は、プログラムの実行により、所定の処理を実行する演算処理装置である。第１のメモリ１１は、例えばＲＯＭ等として構成され、プログラム等を記憶する不揮発性のメモリである。第２のメモリ１３は、例えばＲＡＭ等として構成され、プログラムを実行する際に各種データを記憶するメモリである。出力部１５は、ＣＰＵ９での出力用の動作プログラムにより、出力データに基づく音声、音楽、画像、光、制御信号等の出力動作を行うものである。
【００２０】
かかる受信側装置５は、第１のメモリ１１や第２のメモリ１３に出力対象となる個別の基本データを記憶・保持し、ＣＰＵ９が送信側装置３からの送信データ（外部入力）により選択された少なくとも一つの基本データから出力データを生成する。
【００２１】
基本データは、例えば一音声、一音階、楽曲の一フレーズ、一つの画像等のように個別のデータ片であり、適宜選択することで一つの出力用の基本データ（出力基本データ）を生成可能とするものである。なお、基本データの選択は、一つの基本データを選択する場合や複数の基本データを選択して組み合わせる場合がある。
【００２２】
送信データは、例えば８ビットのバイナリーデータ等であり、基本データの選択情報であるカスタマイズデータと共に、出力用の条件を指定する指定情報であるシナリオデータを含む。
【００２３】
本実施形態においては、更にチェック用データが含まれており、それらカスタマイズデータ、シナリオデータ、及びチェック用データが一群の送信データとして送信される。
【００２４】
カスタマイズデータは、出力基本データとして選択する基本データを示す。このカスタマイズデータには、受信側装置５に新たに追加保持させる基本データを含めることもできる。
【００２５】
シナリオデータは、カスタマイズ項目、カスタマイズ内容、及びカスタマイズ変化量を含んでいる。
【００２６】
カスタマイズ項目は、生成される出力基本データの種別、例えば言葉の制作、音声の組み換え、メロディーの組み換え、表示データの組み換え、或いはモーションデータの組み換え等を示す。
【００２７】
カスタマイズ内容は、生成された出力基本データの取り扱い、例えば追加、削除、コピー、移動、或いは指定場所等を示す。
【００２８】
カスタマイズ変化量は、生成された出力基本データを出力データとして変化させる変化量、例えばボリューム、音声ピッチ、表示明るさ、点灯スピード等を示す。
【００２９】
これら基本データ及び送信データによる出力データの生成は、受信側装置５のＣＰＵ９が第１のメモリ１１内の生成プログラムを実行することで実現される。その際、ＣＰＵ９は、入力部１７と、出力基本データ生成部としてのカスタマイズデータ展開部１９と、条件データ生成部としてのシナリオデータ展開部２１とを機能構成として備える。
【００３０】
入力部１７は、通信回路７を介して送信側装置３からの送信データを受信する。これによって、カスタマイズデータと共にシナリオデータ及びチェック用データの入力を受け付ける。
【００３１】
この入力部１７は、送信データを受信すると、チェック用データを用いて送信データの正誤を判断する。この判断は、例えばパリティチェック等で行わせることができる。送信データが正しい場合は、入力部１７がカスタマイズデータ及びシナリオデータを第２のメモリ１３内の受信領域２３に保持させる。このとき、カスタマイズデータに新たな基本データが含まれている場合は、それを基本データとして第２のメモリ１３に追加する。
【００３２】
カスタマイズデータ展開部１９は、第２のメモリ１３内のカスタマイズデータを展開し、そのカスタマイズデータにより選択された基本データを一つの出力基本データとして生成する。生成された出力基本データは、第２のメモリ１３内の展開領域２５に保持される。
【００３３】
シナリオデータ展開部２１は、第２のメモリ１３内のシナリオデータを展開し、カスタマイズ項目及び内容に応じてカスタマイズデータ展開部１９に出力基本データの生成を行わせる。
【００３４】
また、シナリオデータ展開部２１は、シナリオデータのカスタマイズ変化量から出力基本データの変化量や出力タイミング等の出力条件を示す条件データを生成する。この生成では、出力条件を受信側装置５の出力用の動作プログラムに割り当て、生成された条件データ自体は、第２のメモリ１３内の展開領域に保持される。
【００３５】
生成された条件データは、出力基本データと共に出力データを構成する。具体的には、動作プログラムが、条件データに応じた変化量で出力基本データを変化させ、条件データに応じたタイミングで出力部１５による出力動作を行わせる。
［出力データ生成処理］
図３は、受信側装置の出力データ生成処理を示すフローチャートである。
【００３６】
出力データ生成処理では、送信側装置３からの送信データを受信側装置５で受信すると、図３のフローチャートがスタートする。
【００３７】
まず、ステップＳ１では、「記憶部への転送」を行う。この処理では、入力部１７が受信した送信データの正誤を判断した後、カスタマイズデータ及びシナリオデータを第２のメモリ１３内の受信領域２３に保持させる。このとき、カスタマイズデータに新たな基本データが含まれている場合は、それを基本データとして第２のメモリ１３に追加する。こうしてステップＳ１が完了して、ステップＳ２へ移行する。
【００３８】
ステップＳ２では、「シナリオデータの展開」を行う。この処理では、シナリオデータ展開部２１がシナリオデータを展開して第２のメモリ１３の受信領域２３から掃き出す。これによりステップＳ２が完了してステップＳ３へ移行する。
【００３９】
ステップＳ３では、「カスタマイズ項目の指定」を行う。この処理では、シナリオデータ展開部２１が、カスタマイズデータ展開部１９に対しシナリオデータに応じたカスタマイズ項目を指定する。
【００４０】
これにより、例えばカスタマイズ項目の「言葉の制作」や「音声の組み換え」等をカスタマイズデータの展開で行うように指定する。なお、カスタマイズ項目は、予め第１のメモリ１１内に記憶され、指定に応じた処理をカスタマイズデータ展開部１９に行わせるようになる。このカスタマイズ項目は、送信側装置３からのデータ送信によって追加することも可能である。
【００４１】
かかるステップＳ３の完了後には、ステップＳ４へ移行する。
【００４２】
ステップＳ４では、「カスタマイズ内容の指定」が行われる。この処理では、シナリオデータ展開部２１が、カスタマイズデータ展開部１９に対してシナリオデータに応じたカスタマイズ内容を指定する。
【００４３】
これにより、例えば、カスタマイズ内容の「追加」や「削除」等をカスタマイズデータの展開で行うように指定する。なお、カスタマイズ内容も、カスタマイズ項目と同様に、予め第１のメモリ１１内に記憶されて指定に応じた処理をカスタマイズデータ展開部１９に行わせるようになる。このカスタマイズ内容は、送信側装置３からのデータ送信によって追加することも可能である。こうしてステップＳ４が完了すると、ステップＳ５へ移行する。
【００４４】
ステップＳ５では、「カスタマイズデータの展開」が行われる。この処理では、カスタマイズデータ展開部１９が、指定されたカスタマイズ項目及び内容に応じてカスタマイズデータの展開を行う。
【００４５】
この展開により、カスタマイズデータが第２のメモリ１３の受信領域２３から掃き出される。このときに、カスタマイズデータ展開部１９は、カスタマイズデータで選択された基本データを出力基本データとして生成して第２のメモリ１３の展開領域２５に保持させることになる。
【００４６】
こうしてステップＳ５が完了してステップＳ６へ移行する。
【００４７】
ステップＳ６では、「変化量の設定」が行われる。この処理では、シナリオデータ展開部２１がシナリオデータのカスタマイズ変化量から出力基本データの出力条件を示す条件データを生成する。
【００４８】
この生成により、出力条件を受信側装置５の動作プログラムに割り当て、生成された条件データ自体を第２のメモリ１３内の展開領域に保持する。
【００４９】
こうしてステップＳ６が完了すると、出力データ生成処理が完了する。
【００５０】
出力データ生成後は、動作プログラムが、生成された出力データに応じたカスタマイズ動作を出力部１５に行わせることになる。
［実施形態の効果］
本実施形態の受信側装置５は、出力対象となる個別の基本データを記憶する第２のメモリ１３又は第１のメモリ１１と、外部入力により選択された少なくとも一つの基本データから出力データを生成するＣＰＵ９とを備えている。
【００５１】
従って、本実施形態では、第２のメモリ１３又は第１のメモリ１１内の基本データを適宜選択して出力データを生成することができ、それによって新たな出力動作を追加したり或いは既存の出力動作を変更して、出力動作のカスタマイズを容易に行わせることができる。また、一度に取り扱うデータ量を抑制して、処理の円滑化を図ることができる。
【００５２】
ＣＰＵ９は、第２のメモリ１３又は第１のメモリ１１内に記憶された複数の基本データから選択された基本データを組み合わせて一つの出力データを生成する場合、出力動作のカスタマイズを極めて容易且つ円滑に行わせることができる。
【００５３】
また、カスタマイズデータが新たな基本データ及び少なくとも該基本データの選択情報を含む場合は、ＣＰＵ９が新たな基本データを第２のメモリ１３に記憶すると共に少なくとも該新たな基本データから出力データを生成する。
【００５４】
このため、基本データが受信側装置５に存在しない場合であっても、出力動作のカスタマイズを確実に行わせることができる。
【００５５】
また、本実施形態の受信側装置５では、ＣＰＵ９が、基本データの選択情報であるカスタマイズデータと共に出力用の条件を指定する指定情報であるシナリオデータの外部入力を受け付ける入力部１７と、カスタマイズデータに基づき選択された基本データを一つの出力基本データとして生成するカスタマイズデータ展開部１９と、シナリオデータに基づき出力基本データの出力条件を示す条件データを生成するシナリオデータ展開部２１とを備え、出力データが、出力基本データと条件データとで構成される。
【００５６】
従って、受信側装置５では、出力データの基本情報を示す出力基本データとその出力条件を示す条件データとを分けて生成処理することができるので、出力基本データ又は条件データの一方のみを変更して、出力動作のカスタマイズを更に容易且つ円滑に行わせることも可能となる。
【００５７】
本実施形態では、シナリオデータが少なくとも出力基本データに対する変化量を指定するので、生成された出力基本データ自体を基本データとして登録することもできるようになる。このため、出力動作のカスタマイズ性を拡大することができる。
【００５８】
また、第２のメモリ１３は、入力部１７で受け付けられたカスタマイズデータ及びシナリオデータを記憶する受信領域２３と、出力基本データ及び条件データを記憶する展開領域２５とを備え、ＣＰＵ９は、受信領域２３からカスタマイズデータ及びシナリオデータを掃き出して展開し、これにより出力基本データ及び条件データを生成して展開領域２５に記憶する。
【００５９】
従って、出力基本データ及び条件データが生成されるときは、対応するカスタマイズデータ及びシナリオデータが第２のメモリ１３の受信領域２３から掃き出すことができる。
【００６０】
このため、掃き出しによって空いた領域に次に続くカスタマイズデータ及びシナリオデータを受信させることができ、第２のメモリ１３の記憶容量の圧迫を抑制して円滑な出力データの生成処理を連続して行わせることができる。
【００６１】
本実施形態の出力データ生成システム１は、外部入力としてのカスタマイズデータ及びシナリオデータを送信する送信側装置３を備え、受動型出力装置が送信側装置３からのカスタマイズデータ及びシナリオデータを受信する受信側装置５である。
【００６２】
従って、受信側装置５自体に出力動作を変更するための入力装置等を設ける必要がなく、受動型出力装置に対して容易に出力動作のカスタマイズを行うことができる。
［他の実施形態］
図４は、本発明に係る他の実施形態の出力データ生成システムを示す概念図である。なお、本実施形態は、上記実施形態と基本構成が共通するため、対応する構成部分に同符号を付して重複した説明を省略する。
【００６３】
図４の出力データ生成システム１は、複数の受信側装置５ａ，５ｂを備えたものである。なお、受信側装置の数は、特に限定されるものではない。
【００６４】
各受信側装置は、上記実施形態の受信側装置５と同様に、保持する出力データに基づいて音声、音楽、画像、光、制御信号等を所定の出力態様及びタイミングの出力条件に応じて出力でき、その出力データを送信側装置３でのデータ入力に応じた送信データに基づいて生成可能となっている。
【００６５】
ただし、受信側装置５ａ，５ｂは、同一の送信データを受信して、同一の出力データ又は異なる出力データを生成する動作を行う。異なる出力データを生成する場合は、受信側装置５ａ，５ｂの生成プログラムにより、同一の送信データのカスタマイズ項目、内容、変化量に対して異なる処理を行うようにすればよい。
【００６６】
かかる出力データ生成システム１では、送信側装置３からの送信データを複数の受信側装置５ａ，５ｂで受信することができ、複数の受信側装置５ａ，５ｂの出力動作のカスタマイズを一度期に行わせることができる。
【００６７】
また、受信側装置５ａ，５ｂが同一の送信データから異なる出力データを生成する場合は、複数の受信側装置５ａ，５ｂの出力動作のカスタマイズを一度期に行わせる際にも、受信側装置５ａ，５ｂ毎に所望の出力動作のカスタマイズが可能となる。
【００６８】
なお、送信側装置３は、データ入力により選択された複数の受信側装置５ａ，５ｂの何れかに対して送信データを送信するようにしてもよい。この場合は、ＩＤを用いて受信側装置５ａ，５ｂを特定すればよい。
【００６９】
その他、上記実施形態と同様の作用効果を奏することができる。
【００７０】
以下、本発明の実施例について説明する。
【実施例１】
【００７１】
図５は本発明の実施例１に係る出力データ生成システムを示す概念図、図６は図５の出力データ生成システムの受信側装置を示すブロック図である。なお、実施例１の基本構成は、上記実施形態と共通するため、対応する構成部分に同符号又は同符号にＡを付した符号を用いて重複した説明を省略する。
【００７２】
本実施例の出力データ生成システム１Ａは、図５及び図６のように、音声出力が可能な受信側装置５Ａに適用した例であり、受信側装置５Ａの出力部１５Ａがスピーカー等からなっている。受信側装置５Ａとしては、例えば音声出力を行うデジタル絵本やその読取機等とすることができるが、これらに限られるのではなく音声出力が可能な装置であれば適用できる。なお、本実施例では、単一の受信側装置５Ａを備えているが、複数の受信側装置を備えることも勿論可能である。
【００７３】
この出力データ生成システム１Ａでは、送信側装置３Ａと受信側装置５Ａとの間のデータ送信方式に、いわゆるトーンディテクションを採用している。
【００７４】
このため、送信側装置３Ａは、データ送信用の送信部としてスピーカー２７を備えており、スピーカー２７により例えば１８ＫＨｚ周辺の音波（コード音声）として送信データを送信する。受信側装置５Ａは、データ受信用の受信部としてマイク２９を備えており、送信側装置３Ａからの音波をマイク２９による受信する。
【００７５】
本実施例の受信側装置５Ａは、例えば第１のメモリ１１や第２のメモリ１３に「あ」〜「ん」までの各一音声のテキストデータ（基本テキストデータ）を基本データとして保持しており、これらを送信データに応じて適宜組み合わせて出力音声データ（出力データ）を生成する。
【００７６】
例えば、カスタマイズデータにより「や」、「え」、「の」が選択されている場合は、それらを組み合わせた一つの出力基本テキストデータ（出力基本データ）「やえの」が生成されることになる。
【００７７】
この際は、上記実施形態で説明したように、シナリオデータのカスタマイズ項目である「言葉の制作」やカスタマイズ内容である「追加」等が参照される。なお、カスタマイズデータに「やえの」自体を基本テキストデータとして含めておき、これを選択することで出力基本テキストデータを生成することもできる。
【００７８】
一方、シナリオデータのカスタマイズ変化量により、出力基本テキストデータに対する条件データが生成し、例えばボリューム・音声ピッチ等の出力態様及び発音トリガ等のタイミングを設定することになる。
【００７９】
こうして生成された出力基本テキストデータ及び条件データが出力音声データを構成し、これにより受信側装置５Ａでユーザー所望の新たな音声「やえの」が出力可能となる。
【００８０】
なお、本実施例の音声出力は、例えば絵本上のコードをペン型の読取機で読み取った際に行わせることができる。この場合は、図６のように、受信側装置５Ａに入力回路３１を設けておき、読取機からの読取信号が絵本や読取機自身のＣＰＵ９に入力される構成にすればよい。この入力信号がトリガとなり、動作プログラムが音声出力動作を行わせることになる。
【００８１】
また、音声出力のトリガとしては、例えば送信側装置３Ａからのトリガコードを用いることも可能である。この場合は、トリガコードを受信側装置５Ａのマイク２９で受信するように構成される。なお、トリガーコードは、送信側装置３Ａ以外の他の機器から送信する構成とすることも可能である。また、音声出力のトリガは、上記に限られものではなく、各種のトリガを用いることができる。
【００８２】
以上説明したように、本実施例では、第２のメモリ１３又は第１のメモリ１１内の基本テキストデータを適宜選択して出力音声データを生成することができ、それによって音声出力動作のカスタマイズを容易に行わせることができる。
【００８３】
その他、上記実施形態で説明した効果を音声出力のカスタマイズにおいて実現することができる。
【実施例２】
【００８４】
図７は本発明の実施例２に係る出力データ生成システムを示す概念図、図８は図７の出力データ生成システムの受信側装置を示すブロック図である。なお、実施例２の基本構成は、上記実施例１と共通するため、対応する構成部分に同符号又は同符号にＢを付した符号を用いて重複した説明を省略する。
【００８５】
本実施例の出力データ生成システム１Ｂは、図７及び図８のように、楽曲出力が可能な受信側装置５Ｂに適用した例であり、受信側装置５Ｂの出力部１５Ｂがスピーカー等からなっている。受信側装置５Ｂとしては、例えば楽曲出力を行う玩具等とすることができるが、これに限られるものではないのは上記実施例と同様である。
【００８６】
この出力データ生成システム１Ｂでは、受信側装置５Ｂが第１のメモリ１１や第２のメモリ１３に各一音階の音データ、一フレーズの楽曲データ等を基本データ（基本音楽データ）として保持し、これらを送信データに応じて適宜選択し或いは組み合わせて所望の出力楽曲データ（出力データ）を生成する。
【００８７】
例えば、カスタマイズデータにより複数のフレーズ又は音階を選択することで、それらを組み合わせた一つの出力基本音楽データ（出力基本データ）が生成されることになる。
【００８８】
なお、フレーズの選択においては、一つのフレーズを選択することも可能である。また、カスタマイズデータに新たなフレーズを含めておき、これを少なくとも選択することで新たなフレーズによる出力基本音楽データを生成することもできる。
【００８９】
シナリオデータからは、そのカスタマイズ変化量により出力基本音楽データに対する条件データを生成し、例えばフレーズの順序（入れ替えを含む）等の出力態様並びに楽曲を発するトリガ等のタイミングを設定することになる。
【００９０】
こうして生成された出力基本音楽データ及び条件データの出力楽曲データにより、受信側装置５Ｂでユーザー所望の新たな楽曲が出力可能となる。楽曲出力のトリガは、例えば上記実施例同様に送信側装置３Ｂや他の機器からのトリガコードの他、玩具等に設けられたスイッチ操作とすることができる。
【００９１】
以上説明したように、本実施例では、第２のメモリ１３又は第１のメモリ１１内の基本音楽データを適宜選択して出力楽曲データを生成することができ、それによって楽曲出力動作のカスタマイズを容易に行わせることができる。
【００９２】
その他、上記実施形態で説明した効果を楽曲出力のカスタマイズにおいて実現することができる。
【実施例３】
【００９３】
図９は本発明の実施例３に係る出力データ生成システムを示す概念図、図１０は図９の出力データ生成システムの受信側装置を示すブロック図である。なお、実施例３の基本構成は、上記実施例１と共通するため、対応する構成部分に同符号又は同符号にＣを付した符号を用いて重複した説明を省略する。
【００９４】
本実施例の出力データ生成システム１Ｃは、図９及び図１０のように、点灯出力が可能な受信側装置５Ｃに適用した例であり、受信側装置５Ｃの出力部１５Ｃが複数のＬＥＤ等の発光部からなっている。受信側装置５Ｃとしては、点灯出力を行う玩具等とすることができるが、これに限られるものではないのは上記実施例と同様である。
【００９５】
点灯出力は、例えば複数の発光部（出力部１５）を所定のパターンで点灯させることで行うことができ、基本データとしては、受信側装置５Ｃの第１のメモリ１１や第２のメモリ１３に一つの点灯パターンの点灯データや一つの発光部を点灯させる一点灯データの基本点灯データを保持する。これらを適宜組み合わせて所望の組み合わせの出力点灯データ（出力データ）を生成する。
【００９６】
例えば、カスタマイズデータにより複数の点灯パターン又は複数の一点灯を選択することで、それらを組み合わせた一つの出力基本点灯データを生成する。
【００９７】
なお、点灯パターンを選択する際には、一つの点灯パターンを選択することも可能であり、また、カスタマイズデータに含まれる新たな点灯パターンを選択することも可能である。
【００９８】
シナリオデータからは、そのカスタマイズ変化量により出力基本点灯データに対する条件データを生成し、例えば点灯順序（点灯パターンの直列的な組み合わせや一つの点灯パターンの途中への他の点灯パターンの挿入）や点灯スピード等のような出力態様並びに点灯を行うトリガ等のタイミングを設定することになる。
【００９９】
そして、生成された出力基本点灯データ及び条件データの出力点灯データにより、受信側装置５Ｃでユーザー所望の新たな点灯パターンが出力可能となる。なお、点灯出力のトリガは、例えば上記実施例同様に送信側装置３Ｂや他の機器からのトリガコードの他、玩具等に設けられたスイッチ操作とすることができる。
【０１００】
以上説明したように、本実施例では、第２のメモリ１３又は第１のメモリ１１内の基本点灯データを適宜選択して出力点灯データを生成することができ、それによって点灯出力動作のカスタマイズを容易に行わせることができる。
【０１０１】
その他、上記実施形態で説明した効果を点灯出力のカスタマイズにおいて実現することができる。
【実施例４】
【０１０２】
図１１は本発明の実施例３に係る出力データ生成システムを示す概念図、図１２は図１１の出力データ生成システムの受信側装置を示すブロック図である。なお、実施例４の基本構成は、上記実施例１と共通するため、対応する構成部分に同符号又は同符号にＤを付した符号を用いて重複した説明を省略する。
【０１０３】
本実施例の出力データ生成システム１Ｄは、図１１及び図１２のように、画像出力が可能なフォトフレーム等の受信側装置５Ｄに適用した例である。ただし、受信側装置５Ｄは、フォトフレーム等に限られるものではないのは上記実施例と同様である。
【０１０４】
画像出力は、例えばモニターからなる出力部１５上に所定の画像を表示することで行われ、基本データとしては、受信側装置５Ｄの第１のメモリ１１や第２のメモリ１３に「Ａ画像」〜「Ｄ画像」の各一画像の基本画像データを保持する。これらを適宜選択し或いは組み合わせて所望の出力画像データ（出力データ）を生成する。
【０１０５】
例えば、カスタマイズデータに「Ｄ画像」とその選択情報を含んでいる場合は、新たな「Ｄ画像」が受信側装置５ＤのＲＡＭに保持されると共にそれによる一つの出力基本画像データ（出力基本データ）が生成されることになる。
【０１０６】
シナリオデータからは、そのカスタマイズ変化量により出力基本画像データに対する条件データを生成し、例えば一つの画像の表示時間等の出力態様並びに表示を開始するトリガ等のタイミングを設定することになる。
【０１０７】
生成された出力基本画像データ及び条件データが出力画像データを構成し、これにより受信側装置５Ｄで新たな画像が出力可能となる。この画像出力のカスタマイズでは、各画像の出力スピードをカスタマイズすることで、アニメーションを生成することも可能となる。なお、画像出力のトリガは、例えば上記実施例同様に送信側装置３Ｄや他の機器からのトリガコードの他、時間等とすることができる。
【０１０８】
以上説明したように、本実施例では、第２のメモリ１３又は第１のメモリ１１内の基本画像データを適宜選択して出力画像データを生成することができ、それによって画像出力動作のカスタマイズを容易に行わせることができる。
【０１０９】
その他、上記実施形態で説明した効果を画像出力のカスタマイズにおいて実現することができる。
【実施例５】
【０１１０】
図１３は本発明の実施例５に係る出力データ生成システムを示す概念図、図１４は図１３の出力データ生成システムの受信側装置を示すブロック図である。なお、実施例４の基本構成は、上記実施例１と共通するため、対応する構成部分に同符号又は同符号にＥを付した符号を用いて重複した説明を省略する。
【０１１１】
本実施例の出力データ生成システム１Ｅは、制御対象Ｏに対して制御出力が可能な受信側装置５Ｅに適用した例である。具体的には、受信側装置５Ｅは、制御対象Ｏであるラジコン等の玩具を遠隔操作するコントローラーとすることができる。ただし、受信側装置５Ｅがコントローラー等に限られるものではないのは上記実施例と同様である。
【０１１２】
制御出力は、例えば信号送信部からなる出力部１５Ｅが無線又は有線で制御信号を出力することで行われ、制御対象は、モーター等の駆動源の出力が制御される。本実施例では、制御出力をトーンディテクションにより行う。
【０１１３】
基本データとしては、受信側装置５Ｅの第１のメモリ１１や第２のメモリ１３に、駆動力のレベルである１００％や７５％等の基本制御データを保持する。これらを適宜組み合わせて所望の出力制御データ（出力データ）を生成するようになっている。
【０１１４】
例えば、カスタマイズデータにより複数の駆動力レベルを選択することで、最大駆動力を変更可能な一つの出力基本制御データが生成されることになる。
【０１１５】
シナリオデータからは、そのカスタマイズ変化量により出力基本制御データに対する条件データを生成し、例えば異なるレベルの駆動力の出現頻度等の出力態様並びに出現させるトリガ等のタイミングを設定することになる。
【０１１６】
生成された出力基本制御データ及び条件データが出力制御データを構成し、これにより受信側装置５Ｅで新たな制御出力が可能となる。かかる制御出力により、例えばラジコンのような制御対象Ｏの最大駆動力をランダムに７５％へと低減させる等して、遊技のバリエーションを増大させることができる。
【０１１７】
以上説明したように、本実施例では、第２のメモリ１３又は第１のメモリ１１内の基本制御データを適宜選択して出力制御データを生成することができ、それによって制御出力動作のカスタマイズを容易に行わせることができる。
【０１１８】
その他、上記実施形態で説明した効果を制御出力のカスタマイズにおいて実現することができる。
【符号の説明】
【０１１９】
１  出力データ生成システム
３  送信側装置
５  受信側装置（受動型出力装置）
９  ＣＰＵ（制御部）
１１  ＲＯＭ（記憶部）
１３  ＲＡＭ（記憶部）
１９  カスタマイズデータ展開部（出力基本データ生成部）
２１  シナリオデータ展開部（条件データ生成部）
【図１】
2013246742.tif 000003
【図２】
2013246742.tif 000004
【図３】
2013246742.tif 000005
【図４】
2013246742.tif 000006
【図５】
2013246742.tif 000007
【図６】
2013246742.tif 000008
【図７】
2013246742.tif 000009
【図８】
2013246742.tif 000010
【図９】
2013246742.tif 000011
【図１０】
2013246742.tif 000012
【図１１】
2013246742.tif 000013
【図１２】
2013246742.tif 000014
【図１３】
2013246742.tif 000015
【図１４】
2013246742.tif 000016